(57)【要約】【課題】スライドプレートを、その天地あるいは表裏を逆にした状態でガーニッシュ本体へ誤装着するのを回避できるピラーガーニッシュの提供を図る。【解決手段】ガーニッシュ本体２の裏面に前，後方向に対向配設した複数のガイド部５Ｆ，５Ｒとスライドプレート３の前，後側縁部との係合高さ寸法Ｈを、Ｈ１＜Ｈ２のように前，後で異ならせて設定してある。これにより、スライドプレート３をガーニッシュ本体２の裏面に沿って装着する際に、スライドプレート３の天地を逆に、あるいは表裏を反転した状態でガイド部５Ｆ，５Ｒへ上下方向に差し込み係合するのを阻止する。【選択図】図４
2014177140.tif 000002
【特許請求の範囲】
【請求項１】
ピラーの車室側面を被覆するガーニッシュ本体と、
前記ガーニッシュ本体の裏面に沿って配設したシートベルト引出し用のスライドプレートと、を備え、
前記ガーニッシュ本体は、その裏面に前記スライドプレートの幅相当間隔をおいて複数のガイド部を前後方向に対向配設してあって、これらガイド部に前記スライドプレートの前，後側縁部を、前記ガーニッシュ本体の上下方向にスライド可能に係合，抱持して装着した構造であって、
前記ガイド部と、前記スライドプレートの前，後側縁部との係合高さ寸法を、前，後で異ならせて設定したことを特徴とするピラーガーニッシュ。
【請求項２】
前記ガイド部を、前記ガーニッシュ本体の裏面に突設した脚部と、該脚部に連設した抱持部とで逆Ｌ字状に構成する一方、
前記スライドプレートの前，後側縁部には、その長さ方向に前記抱持部とガーニッシュ本体の裏面とに摺接可能なリブ突起を設け、
前記抱持部のガーニッシュ本体裏面からの離間間隔と、これに対応する前記リブ突起の突出高とを、前，後で異ならせて設定したことを特徴とする請求項１に記載のピラーガーニッシュ。
【発明の詳細な説明】
【技術分野】
【０００１】
本発明は、自動車のセンターピラーを始めとする各種ピラーの車室側面を覆って装着される、装飾機能と緩衝機能とを併有するピラーガーニッシュ、とりわけ、ガーニッシュ本体の裏面に沿って上下方向にスライド可能なスライドプレートを備えたピラーガーニッシュに関する。
【背景技術】
【０００２】
ショルダーアジャスタ付設仕様のシートベルト装置は、例えば、センターピラーの上側部に配設したショルダーアジャスタの可動部材にシートベルトの中間部を支持するショルダーアンカを取付け、ショルダーアンカ位置をシートベルト着用者の体格に合わせて上下方向に適切に調整可能としたものである。
【０００３】
このようなショルダーアジャスタを配設するピラーに用いられるピラーガーニッシュでは、例えば、特許文献１，２に示されているように、ガーニッシュ本体の裏面に沿ってシートベルト引出し用のスライドプレートを上下方向にスライド可能に配設するようにしている。
【０００４】
スライドプレートには、ショルダーアジャスタの可動部材に固定したショルダーアンカに支持されるシートベルトを引出すための開口を設けてある。一方、ガーニッシュ本体には、このショルダーアンカを露出配置してその上下方向の調整移動を許容するための縦長の開窓部を形成してある。
【０００５】
そして、このガーニッシュ本体とピラーとの間に沿って上下方向に配索されたシートベルトをショルダーアンカのスルーリングに挿通し、上述の開口と開窓部に通してガーニッシュ本体の外側に引出して、その引出し端をフロア側のシートベルトアンカに繋留するようにしている。
【先行技術文献】
【特許文献】
【０００６】
【特許文献１】特開２００３−３４１９３号公報
【特許文献２】実開平５−５６６８３号公報
【発明の概要】
【発明が解決しようとする課題】
【０００７】
上述のガーニッシュ本体は、その裏面にスライドプレートの幅相当の間隔をおいて複数のガイド部を前後方向に対向配設してある。そして、これらガイド部に前記スライドプレートの前，後側縁部を、ガーニッシュ本体の上下方向にスライド可能に係合，抱持して装着するようにしている。
【０００８】
このスライドプレートは、上述のガイド部に対して上下方向に差し込んで係合装着される。
【０００９】
特許文献１，２に開示された構造では、何れもスライドプレートの背面側、即ち、ガーニッシュ本体の裏面と対向する面とは反対側の側面に突出片を備えている。
【００１０】
このため、突出片の存在によりスライドプレートを誤って表裏を反転してガイド部に差し込み装着することは防止できるが、スライドプレートの天地（上下）を逆にして誤装着して外観，品質を損なう可能性がある。
【００１１】
そこで、本発明はスライドプレートを、天地を逆にした状態ではもとより、表裏を反転した状態でのガーニッシュ本体への誤装着を回避することができるピラーガーニッシュを提供するものである。
【課題を解決するための手段】
【００１２】
本発明のピラーガーニッシュは、ピラーの車室側面を被覆するガーニッシュ本体と、前記ガーニッシュ本体の裏面に沿って配設したシートベルト引出し用のスライドプレートと、を備えている。このガーニッシュ本体は、裏面に前記スライドプレートの幅相当間隔をおいて複数のガイド部を前後方向に対向配設してあって、これらガイド部に前記スライドプレートの前，後側縁部を、前記ガーニッシュ本体の上下方向にスライド可能に係合，抱持して装着した構造を基本としている。
【００１３】
そして、前記ガイド部と、前記スライドプレートの前，後側縁部との係合高さ寸法を、前，後で異ならせて設定したことを主要な特徴としている。
【発明の効果】
【００１４】
本発明のピラーガーニッシュによれば、ガーニッシュ本体の裏面に前，後方向に対向配設した複数のガイド部と、スライドプレートの前，後側縁部との係合高さ寸法を、前，後で異ならせて設定してある。これにより、スライドプレートをガーニッシュ本体の裏面に沿って装着する際に、スライドプレートの天地を逆に、あるいは表裏を反転した状態でガイド部へ上下方向に差し込み係合するのを阻止できる。
【図面の簡単な説明】
【００１５】
【図１】本発明の対象とするピラーガーニッシュのアッパーガーニッシュを示す側面図。
【図２】アッパーガーニッシュの裏面側から見た斜視図。
【図３】スライドプレートを示す斜視図。
【図４】図２のＡ−Ａ線に沿う断面斜視図。
【図５】スライドプレートを部分的に拡大して示す斜視図。
【発明を実施するための形態】
【００１６】
以下、本発明の一実施形態を、ピラーガーニッシュとして、ショルダーアジャスタを配設するピラーに用いられるピラーガーニッシュの略上半部を構成するアッパーガーニッシュを例に採って図面と共に詳述する。
【００１７】
図１，図２に示す本実施形態のアッパーガーニッシュ１は、図外のピラーの車室側面を被覆するガーニッシュ本体２と、該ガーニッシュ本体２の裏面に沿って配設したシートベルト引出し用のスライドプレート３と、を備えている。
【００１８】
ガーニッシュ本体２およびスライドプレート３は、何れも適宜の合成樹脂材をもって型成形され、ガーニッシュ本体２はピラーの車室側面に外嵌してこれを被覆可能なように略コ字形の開断面に形成してある。
【００１９】
一方、スライドプレート３は、ガーニッシュ本体２の一般面２ａの裏面に沿う縦長の長方形状に形成してある。
【００２０】
このガーニッシュ本体２の下端部には、小径部４を有段成形してあって、ここにピラーガーニッシュの略下半部を構成する図外のロアガーニッシュの上端部を外嵌して接続するようにしている。
【００２１】
ガーニッシュ本体２の一般面２ａの裏面には、スライドプレート３の幅相当の間隔をおいて複数のガイド部５を前後方向に対向配設してある。
【００２２】
そして、これらガイド部５にスライドプレート３の前，後側縁部を、ガーニッシュ本体２の上下方向にスライド可能に係合，抱持して装着してある。
【００２３】
スライドプレート３には、ピラーに配設されたショルダーアジャスタの可動部材に締結固定するショルダーアンカを突出配置するための縦長の開口６を形成してある（ショルダーアジャスタ，ショルダーアンカは何れも図示省略）。
【００２４】
一方、ガーニッシュ本体２の一般面２ａには、上述のショルダーアンカを露出配置して、その上下方向の調整移動を許容するための縦長の開窓部７を形成してある。
【００２５】
ガーニッシュ本体２の一般面２ａとピラーとの間に沿って上下方向に配索される図外のシートベルトは、上述のショルダーアンカのスルーリングに挿通し、上述の開口６と開窓部７に通してガーニッシュ本体２の外側に引出して、その引出し端を図外のフロア側のシートベルトアンカに繋留するようにしている。
【００２６】
スライドプレート３は、図３に示すように前，後側縁に、ガーニッシュ本体２の一般面２ａの裏面に弾接する複数の板ばね片８を長さ方向に所要の間隔をおいて切り起し状に形成して、該板ばね片８のばね作用によりガーニッシュ本体２に対してガタツキを生じることがないようにしている。
【００２７】
このスライドプレート３は、例えば、ガーニッシュ本体２の上端側から上述のガイド部５に差し込んで係合装着される。ガーニッシュ本体２の一般面２ａの裏面には、スライドプレート３の下動位置を規制するストッパー９を立設してある。一方、スライドプレート３の下端は、該ストッパー９に適切に係止可能なように上述の板ばね片８とは反対方向にフランジアップしたフランジ縁３ａとして形成してある。
【００２８】
本実施形態では、上述のガイド部５を、ガーニッシュ本体２の一般面２ａの裏面に突設した脚部５ａと、該脚部５ａに連設した抱持部５ｂとで逆Ｌ字状に構成してある。図４，図５に示す例では前，後のガイド部５Ｆ，５Ｒとも、それぞれ上下方向に所要の間隔をおいて配設したそれぞれ単体の複数の爪部として構成している。
【００２９】
一方、スライドプレート３の前，後側縁部には、上述の板ばね片８に近接した位置に、前記ガーニッシュ本体２の一般面２ａの裏面とガイド部５の抱持部５ｂとに摺接可能なリブ突起１０を長さ方向に突設してある。
【００３０】
このようなガーニッシュ本体２の前，後のガイド部５Ｆ，５Ｒと、スライドプレート３の前，後側縁部との係合関係にあって、その係合高さ寸法Ｈを、例えば前，後でＨ１＜Ｈ２のように異ならせて設定してある。
【００３１】
即ち、本実施形態ではガイド部５を構成する抱持部５ｂのガーニッシュ本体２の一般面２ａの裏面からの離間間隔、およびリブ突起１０の突出高を前記係合高さ寸法と同じＨとした場合に、離間間隔Ｈを、前，後のガイド部５Ｆ，５ＲでＨ１＜Ｈ２の関係に設定してある。一方、これらに対応して上述のリブ突起１０は、その突出高Ｈを、前，後のリブ突起１０Ｆ，１０ＲでＨ１＜Ｈ２の関係に設定している。
【００３２】
図４，図５に示す例では、リブ突起１０はスライドプレート３の表面側、即ち、ガーニッシュ本体２の一般面２ａの裏面に対向する側面に突出するリブ突起１０ａと、反対側の側面に突出するリブ突起１０ｂとで構成している。
【００３３】
表面側のリブ突起１０ａは、ガーニッシュ本体２の一般面２ａに対してスライドプレート３の平行度を出す必要があるため、前，後１０Ｆ，１０Ｒで突出高を同一にしている。従って、背面側のリブ突起１０ｂを、前，後１０Ｆ，１０Ｒで上述の高さ関係（Ｈ１＜Ｈ２）となるようにそれらの突出高をｈ１＜ｈ２のように異ならせて設定してある。
【００３４】
以上のように本実施形態にあっては、ガーニッシュ本体２の一般面２ａの裏面に前，後方向に対向配設した複数のガイド部５Ｆ，５Ｒと、スライドプレート３の前，後側縁部との係合高さ寸法Ｈを、前，後でＨ１＜Ｈ２のように異ならせて設定してある。
【００３５】
スライドプレート３には、例えば図３に示すようにその上端部に文字，矢印等、天地（上下）を識別する表示Ｍを刻設してあったとしても、これを見落として天地を逆にした状態でガーニッシュ本体２に誤装着する可能性がある。
【００３６】
このような場合でも、スライドプレート３を天地を逆にした状態では、前，後の係合高さ寸法Ｈの相違（Ｈ１＜Ｈ２）により、前，後のガイド部５Ｆ，５Ｒに対するスライドプレート３の差し込みが不適合となって、該スライドプレート３の誤装着を回避することができる。
【００３７】
また、スライドプレート３の天地が適正であっても、表裏を反転して組付けようとした場合にも、上述の理由により前，後のガイド部５Ｆ，５Ｒに対するスライドプレート３の差し込みが不適合となって、該スライドプレート３の誤装着を回避することができる。
【００３８】
また、本実施形態のようにガイド部５を逆Ｌ字状に構成する一方、スライドプレート３の側縁部にリブ突起１０を設けて、逆Ｌ字状の抱持部５ｂのガーニッシュ本体２裏面からの離間間隔と、対応するリブ突起１０の突出高とを、前，後で異ならせることによって、上述の前，後で異なる係合高さ寸法Ｈ１，Ｈ２の設定を容易に行うことができる。
【００３９】
また、本実施形態のようにスライドプレート３の側縁部に複数の板ばね片８を切り起し状に設ければ、該板ばね片８の引掛かりによりスライドプレート３の表裏反転状態での組付け阻止を有効に行え、併せて、逆Ｌ字状のガイド部５を不連続にして、それぞれ単体の爪部構成とすれば、この表裏反転状態での組付け阻止をより有効に行うことができる。
【００４０】
また、本実施形態のようにスライドプレート３の下端にストッパー９に係止するフランジ縁３ａを形成することにより、該フランジ縁３ａがガイド部５に引掛かって表裏反転状態での組付け阻止効果を得ることもできる。
【００４１】
なお、前記実施形態ではガイド部５を逆Ｌ字状の単体の爪部として構成しているが、逆Ｌ字状断面が連続したガイドレールとして構成してもよいことは勿論である。
【符号の説明】
【００４２】
１…アッパーガーニッシュ（ピラーガーニッシュ）
２…ガーニッシュ本体
３…スライドプレート
５…ガイド部
５ａ…脚部
５ｂ…抱持部
１０…リブ突起
Ｈ…係合高さ寸法
【図１】
2014177140.tif 000003
【図２】
2014177140.tif 000004
【図３】
2014177140.tif 000005
【図４】
2014177140.tif 000006
【図５】
2014177140.tif 000007